(57)【要約】タバコ製品のための略平行六面体外形の剛体のパックは開放頂端部（６）を備えたコンテナ（５）であり、開放頂端部の開放位置と閉鎖位置との間で回動可能であってコンテナ（５）にヒンジ留めされた蓋部（７）が備え付けられている。パック（１）は四つの横方向面（１７、１８、１９）と、互いに平行であって横方向面（１７、１８、１９）に対して垂直な二つの端面（１２、１６）とを備えている。六つの面（１２、１６、１７、１８、１９）のうちの少なくとも一つの面は外方に凸状な隆起部分（２２）を備えている。素材片（３１）をタバコ製品周りで折り返してパック（１）を形成する前に、素材片（３１）の少なくとも一つのパネル（４３、４４）を塑性変形させることにより隆起部分（２２）が形成される。【選択図】図１
2005505295.tif 000002
【特許請求の範囲】
【請求項１】
横方向面（１７、１８、１９）と端面（１２、１６）とを備えていて包装材（４）を具備しているタバコ製品のための剛体型のパックであって、前記包装材（４）は、開放した頂端部（６）と蓋部（７）とを備えていて前記頂端部が前記蓋部により閉鎖されているコンテナ（５）から構成されているパックにおいて、
前記パック（１）の少なくとも一つの面（１２、１６、１７、１８、１９）が、外方に向かって凸状の少なくとも一つの隆起部分（２２）を含んでいるパック。
【請求項２】
前記隆起部分（２２）が前記各面（１２、１６、１７、１８、１９）の略中心領域を占めていて、該面の縁部に隣接する部分を除外している請求項１に記載のパック。
【請求項３】
前記隆起部分（２２）が前記各面（１２、１６、１７、１８、１９）の略中心領域を占めていて、該面の縁部に到達するように少なくとも部分的に延びている請求項１に記載のパック。
【請求項４】
前記隆起部分（２２）は前記コンテナ（５）と前記蓋部（７）との両方に対応する前記面（１２、１６、１７、１８、１９）のそれぞれの領域を占めている請求項１から３のいずれか一項に記載のパック。
【請求項５】
前記隆起部分（２２）は前記横方向面（１７、１８）に形成されている請求項１から４のいずれか一項に記載のパック。
【請求項６】
前記隆起部分（２２）は前記面（１２、１６、１７、１８、１９）のうちの各一つに形成されている請求項１から４のいずれか一項に記載のパック。
【請求項７】
前記隆起部分（２２）は略平坦中心部分（５６）を備えている請求項１から６のいずれか一項に記載のパック。
【請求項８】
前記隆起部分（２２）が周囲平縁（５７）を含んでおり、該平縁によって前記中心部分（５６）が前記パック（１）の前記対応する面（１２、１６、１７、１８、１９）に接合されている請求項１から６のいずれか一項に記載のパック。
【請求項９】
前記平縁（５７）は湾曲部分によって相互に連結された直線状部分を具備する請求項８に記載のパック。
【請求項１０】
前記平縁（５７）は鋭利な角部によって或る平縁が隣の平縁に連結された直線状部分を具備する請求項９に記載のパック。
【請求項１１】
前記包装材（４）は面取りされた長手方向角縁部（２６）を備えている請求項１から１０のいずれか一項に記載のパック。
【請求項１２】
前記包装材（４）は丸みが付けられた長手方向角縁部（２６）を備えている請求項１から１０のいずれか一項に記載のパック。
【請求項１３】
前記包装材（４）が湾曲部分からなるバンド（２７）を含んでおり、該湾曲部分は長手方向角縁部のそれぞれに沿って延びていると共に内方を向いた凹面を備えるよう配置されており、一つの横方向面（１７、１８、１９）の関連する中心部分（２８）は前記バンドによって鋭利な角縁部（２９）に沿って隣接する横方向面（１７、１８、１９）に接合されている請求項１から１０のいずれか一項に記載のパック。
【請求項１４】
前記パックは、前記コンテナ（５）にヒンジ留めされていて前記頂端部（６）の開放位置と閉鎖位置との間で回動可能な蓋部（７）を備えた略平行六面体形状であり、前記包装材（４）が相互に平行な対をなすように配置された四つの横方向面（１７、１８、１９）と相互に平行であって前記横方向面（１７、１８、１９）に対して垂直な二つの前記端面（１２、１６）とを形成する四つの長手方向角縁部（５８）を備えている請求項１から１３のいずれか一項に記載のパック。
【請求項１５】
前記コンテナ（５）に固定されていて前記開放した頂端部（６）から部分的に突出するフレーム（２１）を具備し、それにより、閉鎖位置にあるときに、前記蓋部（７）と相互作用すると共に該蓋部（７）を安定化しており、さらに前記フレーム（２１）は前記パック（１）から外方に突出する凸状の少なくとも一つの隆起部分を備えている請求項１４に記載のパック。
【請求項１６】
前記フレーム（２１）の前記隆起部分が、前記パック（１）の横方向面（１７、１９）に形成された隆起部分（２２）の内面に前方で完全に接触するよう位置決めされている請求項１５に記載のパック。
【請求項１７】
前記タバコ製品は、タバコの複数のパケット（２）から構成されており、前記パック（１）がカートン（３）である請求項１から１６のいずれか一項に記載のパック。
【請求項１８】
前記タバコ製品は一群のタバコから構成されており、前記パック（１）がタバコ用パケット（２）である請求項１から１６のいずれか一項に記載のパック。
【請求項１９】
請求項１から１８に記載の剛体型のパックの製造方法であって、該パック（１）は複数の長手方向折れ目線（３５）と、該長手方向折れ目線（３５）に協働して複数のパネル（４３、４４）を形成する複数の横断方向折れ目線（３６〜４１）を備える平坦なダイカットの素材片（３１）から形成されており、前記パネルは単独でまたは重畳する関係をなして前記パック（１）の前記面（１２、１６、１７、１８、１９）に対応している、パックの製造方法において、
前記素材片（３１）を形成ステーション（３２）に通して所定の搬送ライン（３０）に沿って前進させ、
隆起部分（３２）を形成するように少なくとも一つの前記パネル（４３、４４）を前記形成ステーション（３２）において塑性変形させる製造方法。
【請求項２０】
前記素材片（３１）を前記形成ステーション（３２）に通して前進させることが、連続的動作である請求項１９に記載の製造方法。
【請求項２１】
前記素材片（３１）を前記形成ステーション（３２）に通して前進させることが、該形成ステーション（３２）における休止を含んでいる請求項１９に記載の製造方法。
【請求項２２】
前記塑性変形させることが、前記搬送ライン（３０）に対して垂直な軸線（４６）回りに反対方向に一斉に動作していて前記搬送ライン（３０）の両側部に位置している一対のローラ（４５）の作用により行われ、前記一対のローラは少なくとも一つの第一のローラ（４５）を含んでおり、該第一のローラは前記隆起部分（２２）を生じさせるダイとしての機能を有する少なくとも一つの突出部（４８）を備えている請求項２０に記載の製造方法。
【請求項２３】
前記一対のローラのうちの前記第二のローラ（４５）が弾性材料から形成されている請求項２２に記載の製造方法。
【請求項２４】
前記一対のローラのうちの前記第二のローラ（４５）は、前記第一のローラの前記ダイに適合する底部ダイとしての機能を有する少なくとも一つの凹部（４９）を形成する円筒形状表面（４７）を備えている請求項２２に記載の製造方法。
【請求項２５】
前記塑性変形させることが、前記搬送ライン（３０）に対して往復運動して一緒に動作するパンチ（５１）とカウンタ（５２）とを構成する一対のツール（５０）の作用により行われており、これら一対のツール（５０）は前記搬送ライン（３０）の両側部に位置しており、該一対のツールは前記隆起部分（２２）を生じさせるダイとしての機能を有する突出部（５４）が備え付けられている少なくとも一つの第一のツール（５０）を有している請求項２１に記載の製造方法。
【請求項２６】
前記一対のツール（５０）のうちの第二のツール（５２）が弾性材料から形成されている請求項２３に記載の製造方法。
【請求項２７】
前記一対のツール（５０）の前記第二のツール（５２）は前記対向するツール（５１）に関連する表面を有しており、該表面は前記第一のツールの前記ダイに適合する底部ダイとしての機能を有する少なくとも一つの凹部（５５）が形成されている請求項２５に記載の製造方法。
【請求項２８】
前記素材片（３１）と前記形成ステーション（３２）とを担持する前記搬送ライン（３０）が、前記パック（１）を製造する機械（３４）と一体的部材になっている請求項２０から２８のいずれか一項に記載の製造方法。
【発明の詳細な説明】
【技術分野】
【０００１】
本発明は、タバコ製品用の剛体型のパックに関する。
【０００２】
本願明細書全体において使用される用語「パック」はタバコのパケットおよびタバコの複数のパケットを含むカートンのどちらをも意味するものとする。
【背景技術】
【０００３】
一般的に、タバコのパケットが関係している場合には、タバコメーカーから供給されるタバコは群をなすように配置されており、各群は一つのパケットの中身を形成している。単一の群は、略平行六面体形状のブロックを形成するために内方包装材を構成する金属ホイル紙からなるシートに最初に封入される。
【０００４】
次いで、各ブロックはダイカットの素材片により包囲され、予め形成された折れ目線に沿って曲げられてブロック周りで折り返されて、外方包装材を形成する。外方包装材は、前方面と後方面と二つの端面と頂部と底部とを備えた矩形平行六面体形状を呈していてヒンジ式蓋部が取り付けられた剛体のパケットを形成する。
【０００５】
そのような剛体のパケットは、カップ状外形の蓋部が取り付けられた同様なカップ状の外形の本体を具備するのが通常の形式である。この蓋部は本体の頂端部にヒンジ留めされていて、開放位置とカップ状本体が閉差された閉鎖位置との間で回動可能である。
【０００６】
各パケットの内部のタバコは並んで列をなすように、典型的には３列をなすように配置されている。各列は、タバコ自体の寸法とパケットの寸法とに基づいて異なる多数のタバコを含んでいる。
【発明の開示】
【発明が解決しようとする課題】
【０００７】
当該形式のパケットは特定の欠点を示している。最も目立つ欠点が特定の形状のパケットおよび前述した製造方法に対して抵抗している。実際に、タバコのブロックは外方包装材によってタバコの長さ部分全体に沿って堅固に捕縛されており、その結果、パケットを開放したときに、単一のタバコを引き出すのが困難となる。この欠点は、喫煙者によって最初に取り出されるために、特にパケットの前方内面に密に接触する列のタバコに関係している。
【０００８】
他の欠点は、これらパケットは、組立方法によって二つの端面の間においてタバコを損傷させる軸線方向の圧縮力が生じるという事実に影響を与えることである。
【０００９】
カートンの場合には、パッカによって転向させられた単一のパケットが略平行六面体形状の群をなすように配置され、各群はカートナによって取り上げられて、予め形成された折れ目線に沿って曲げられたダイカットの素材片に包囲される。それにより、剛体のカートン、例えばヒンジ式蓋部が備えられた形式のカートンを構成する包装材を形成する。このカートンは前方面と後方面と二つの端面と頂部と底部とを備えた矩形平行六面体形状である。
【００１０】
この例においては同様に、機械によって製造された現在利用可能なカートンはパケットの各群周りに素材片が堅固に巻かれることにより極端に小型化されており、それにより、カートンが開放したときに最初のいくつかのパケットを引き出すのが困難になる。
【００１１】
本発明の目的は、前述した欠点を克服するように具体化されていて、タバコ製品のための剛体型のパックを提供することである。
【課題を解決するための手段】
【００１２】
前述した目的は、本発明に基づく横方向面と端面とを備えていて包装材を具備しているタバコ製品のための剛体型のパックであって、前記包装材は、開放した頂端部と蓋部とを備えていて前記頂端部が前記蓋部により閉鎖されているコンテナから構成されているパックにおいて、前記パックの少なくとも一つの面が、外方に向かって凸状の少なくとも一つの隆起部分を含んでいるパックによって解決される。
本発明はタバコ製品のための剛体型のパックを製造する製造方法にも関する。
【００１３】
前述した目的は、本発明の基づくパックの製造方法であって該パックは複数の長手方向折れ目線と、該長手方向折れ目線に協働して複数のパネルを形成する複数の横断方向折れ目線を備える平坦なダイカットの素材片から形成されており、前記パネルは単独でまたは重畳する関係をなして前記パックの前記面に対応している、パックの製造方法において、前記素材片を形成ステーションに通して所定の搬送ラインに沿って前進させ、隆起部分を形成するように少なくとも一つの前記パネルを前記形成ステーションにおいて塑性変形させる製造方法により達成される。
【発明を実施するための最良の形態】
【００１４】
添付図面を参照しつつ、実施例により本発明を詳細に説明する。
図１から図１２を参照すると、タバコ製品のための剛体のバック１が示されており、図１から図１０に示される実施例においては、パック１は一群のタバコ（図示しない）を収容する役目を果たす剛体のパケット２を構成しており、図１１および図１２においてはパック１は複数のパケット２を収容するカートン３を構成している。パック１は長手方向角縁部５８を備えた略平行六面体形状をなしており、パック１は開放した頂端部６を備えていてカップ状にされたコンテナ５を内包する外方包装材４を具備している。コンテナ５には同様にカップ状にされた蓋部７が設置されている。蓋部７は折れ目線８に沿ってコンテナ５にヒンジ留めされており、それにより、蓋部７は頂端部６が露出した位置（図６と図８とに示される）と同一の頂端部６が隠れた状態にある位置との間において回動することができる。
【００１５】
コンテナ５は前方部９と、後方部１０と、二つのフランク１１と、底部１２とを有しており、同様に蓋部は前方部１３と、後方部１４と、二つのフランク１５と、頂部１６とを有している。
【００１６】
コンテナ５および蓋部７の前方部、後方部およびフランクは協働して、単一のパック１の四つの側面をそれぞれ形成しており、これら側面は、前方面１７と後方面１８とフランク面１９とを含んでおり、これら四つの面はコンテナ５の底部１２と蓋部７の頂部１６とを結合させて、パック１の外方包装材４を形成している。
【００１７】
図６に特に示されるように、単一のパケット２は、前述した一群のタバコを内包する内方包装材２０を収容している。パケット２には、外方包装材４と内方包装材２０との間に介在する補強用フレーム２１が備えられている。補強用フレーム２１はコンテナ５に固定されると共にコンテナ５の開放頂端部６から部分的に突出していて、閉鎖位置にあるときの蓋部７のために安定化要素を形成している。
【００１８】
図１から図６および図１１ならびに図１２の実施例においては、パック１の六つの面１２、１６、１７、１８、１９のうちの少なくとも一つの面が外方に凸状に隆起した隆起部分２２を備えている。
【００１９】
隆起部分２２は外形線２３により区切られている。隆起部分２２はパック１に備えられた少なくとも一つの面１２、１６、１７、１８、１９のほぼ中心領域を占めていて、面１２、１６、１７、１８、１９の縁部に隣接する部分を除外している。
【００２０】
図示しないものの当業者に容易に想到可能な他の実施形態においては、隆起部分２２が少なくとも部分的に延びていて、隆起部分２２が占める面の縁部まで到達するようになっていてもよい。さらに、隆起部分２２は、略平坦中心部分５６と周囲平縁５７とを有するように形成されていてもよく、それにより、略平坦中心部分５６とパック１の対応する面とが相互に連結されるようになる。
【００２１】
特にパック１の前方面１７または後方面１８に位置するときには、隆起部分２２は外方包装材４によって内方包装材２０に及ぼされる圧力を解放する効果を有しており、それにより、パケット２が開放されるときにタバコを容易に引き出せるようになる。隆起部分２２の領域の外方に位置する内方包装材２０の長手方向端部において外方包装材４が外方包装材２０に密に接触したままであるので、結果的に堅固であることが減少しても、パケット２内におけるタバコの安定した位置決め作用は影響を受けない。
【００２２】
図５および図６の実施例においては、隆起部分２２は前方面１７および後方面１８だけでなく、二つのフランク面１９と底部面１２および頂部面１６とにも形成されている。この例においては、パケット２をさらに容易に取り扱うことができ、特に隆起部分２２を底部面１２および頂部面１６に形成する効果は、タバコの端部を保護することである。
【００２３】
図１１および図１２の実施例においては、隆起部分２２はカートン３の前方面１７に位置しており、その結果、単一のパケット２のタバコを参照して前述したのと同一の理由によりパケット２はカートン３からさらに容易に引き出される。
【００２４】
図１から図４に示されるように、パケット２の長手方向角縁部５８は、鋭利な角縁部２４（図１）、丸みが付けられた角縁部２５（図３）、または面取りされた角縁部２６（図２）などであってもよい。あるいは図４の実施例に示されるように長手方向角縁部５８は、長手方向角縁部５８のそれぞれに沿って延びていて内方を向いた凹面を備えるよう配置されている湾曲部分からなるバンド２７を備えており、バンド２７によって、関連する前方面１７または後方面１８の中心部分２８が隣接するフランク面１９に鋭利な角縁部２９に沿って接合するようになる。
【００２５】
パック１の追加の実施形態が図７から図１０に示されている。さらに正確には、図７および図８はそれぞれ隆起部分２２を備えた頂端面１６を示している。隆起部分２２は頂端面１６の周囲縁部に平縁５７によって接合される略平坦中心部分５６から構成されており、平縁５７は鋭利な角部によって或る平縁５７が隣の平縁５７に連結されている直線状部分から構成されている。図９においては、頂端面１６は平縁５７によって頂端面１６の周囲縁部に接合された略平坦中心部分５６から構成される隆起部分２２を備えており、平縁５７は湾曲部分によって相互に連結された直線状部分から構成されている。最終的に図１０においては、頂端面１６は平縁５７によって頂端面１６の周囲縁部に接合された略平坦中心部分５６から構成されており、平縁５７は湾曲部分と鋭利な角部とによって相互に連結された直線状部分から構成されている。
【００２６】
図２、図３および図４に示される実施形態ならびに図７から図１０に示される実施形態はカートン３の場合において同様に適用可能である。
【００２７】
図１３は搬送ライン３０を示しており、ダイカットされた平坦な厚紙の素材片３１が搬送ライン３０に沿って順次に前進し、パック１は搬送ライン３０から供給される。
【００２８】
搬送ライン３０は図１３においてブロック状に示される形成ステーション３２を通過していて、形成ステーション３２の下流の包装ユニット３３に向かって延びている。形成ステーション３２は、単純にするために仮想線で示されるブロック３４により示されるパッケージ化機械と一体部材で構成されていてもよく、またパッケージ化機械と一体的でなくてもよい。
【００２９】
図１３から図１６において識別可能であるように、略矩形外形である単一の平坦なダイカットの素材片３１が二つの長手方向折れ目線３５と複数の横断方向折れ目線３６〜４１とを有しており、これら横断方向折れ目線３６〜４１は二つの長手方向折れ目線３５と協働して、複数のパネル４３、４４を形成している。パネル４３の場合のように単独で、またはパネル４４の場合のように重畳する関係をなすように、これら複数のパネル４３、４４はパック１の六つの面１２、１６、１７、１８、１９に対応する。
【００３０】
形成ステーション３２に到着すると、各素材片３１によって形成されるパネル４３および／または４４のうちの少なくとも一つが、隆起部分２２を形成するように塑性変形される。
【００３１】
図１４および図１５を参照すると、素材片３１は搬送ライン３０に沿って連続的に前進され、搬送ライン３０に対して垂直な軸線４６回りに反対方向に回転して一斉に動作する一対のローラ４５によって塑性変形が生じる。ローラ４５は搬送ライン３０の両側に位置している。少なくとも一方のローラ、つまり図１０および図１１における上方ローラは円筒形状表面４７を有している。円筒形状表面４７は、素材片３１のパネル４３および／またはパネル４４のそれぞれに隆起部分２２を生じさせるダイとしての機能を有する突出部４８を備えている。
【００３２】
図１４の実施例においては、第二のローラ４５の円筒形状反作用表面４７、つまり図１４および図１５における下方ローラは弾性材料から形成されており、それにより、上方のローラ４５の突出部４８に接触して降伏し、その結果、隆起部分２２を素材片３１に刻印することができる。
【００３３】
図１５の実施例においては、第二つまり下方のローラ４５の円筒形状反作用表面４７は少なくとも一つの凹部４９を形成している。この凹部４９は上方のローラ４５の突出部４８に適合した下方のダイとしての役目を果たして隆起部分２２を各素材片３１に刻印することができる。
【００３４】
図１６の実施例においては、単一の素材片３１は形成ステーション３２に供給されると直ぐに停止して、この例においては一対のツール５０によって塑性変形される。ツール５０はパンチ５１と、一緒に動作するくぼみとしてのカウンタ５２とから構成されており、ツール５０は搬送ライン３０に対して垂直な方向５３に往復運動するようになっている。ツール５０は搬送ライン３０の両側に位置している。少なくとも一方のツールであって、図１６の実施例におけるパンチ５１は突出部５４を備えている。突出部５４は、カウンタ５２に形成された凹部５５に協働するようになっているダイとして機能を有し、その結果、隆起部分２２を各素材片３１に形成する。
【００３５】
図示しない追加の実施形態においては、第二のツール５０、すなわちカウンタ５２が弾性材料から形成されており、それにより、パンチ５１の突出部５４に接触して降伏し、その結果、隆起部分２２を各素材片３１に刻印することができる。
【００３６】
図６の実施例においては、フレーム２１はコンテナ５の前方部９に固定された胸状部材と、コンテナ５の対応するフランク１１に固定された二つの側方部材とを備えている。図６のパック１の変更可能であって図示しない実施形態においては、フレーム２１は、パック１から外方に突出する凸状の少なくとも一つの隆起部分を備えている。当該隆起部分は、パック１の前方面１７またはフランク面１９にそれぞれ備えられた隆起部分２２の内面に完全かつ近接して適合される。
【００３７】
特にフレーム２１の胸状部材および／または側方部材は素材片３１の前述した隆起部分２２と同一でこれに適合する隆起部分を備えている。従って、パケット２が閉鎖されるときに、フレーム２１の胸状部材は、パケットの前方部９と前方部１３との内面に完全に前部で接触して係合しており、および／またはフレーム２１の側方部材はパケットのフランク１１とフランク１５との内面に完全に前部で接触して係合する。
【００３８】
これらに類似した変更可能な解決法は図１２のパック１のために当然に採用することができる。
【図面の簡単な説明】
【００３９】
【図１】本発明に基づく実施形態のパック、特にタバコのパケットを示す斜視図である。
【図２】本発明に基づく実施形態のパック、特にタバコのパケットを示す斜視図である。
【図３】本発明に基づく実施形態のパック、特にタバコのパケットを示す斜視図である。
【図４】本発明に基づく実施形態のパック、特にタバコのパケットを示す斜視図である。
【図５】本発明に基づく実施形態のパック、特にタバコのパケットを示す斜視図である。
【図６】本発明に基づく実施形態のパック、特にタバコのパケットを示す斜視図である。
【図７】本発明に基づく実施形態のパック、特にタバコのパケットを示す斜視図である。
【図８】本発明に基づく実施形態のパック、特にタバコのパケットを示す斜視図である。
【図９】本発明に基づく実施形態のパック、特にタバコのパケットを示す斜視図である。
【図１０】本発明に基づく実施形態のパック、特にタバコのパケットを示す斜視図である。
【図１１】本発明に基づく一つの実施形態のパック、特にタバコの複数のパケットを内包するカートンの閉鎖状態を示す斜視図である。
【図１２】本発明に基づく一つの実施形態のパック、特にタバコの複数のパケットを内包するカートンの開放状態を示す斜視図である。
【図１３】本発明に基づく形成装置に備えられていてブロックにより表される本発明に基づくパックを製造するためのラインを示す斜視図である。
【図１４】図９に示される形成装置の異なる実施形態を示す斜視図であり、特定部分を省略している。
【図１５】図９に示される形成装置の異なる実施形態を示す斜視図であり、特定部分を省略している。
【図１６】図９に示される形成装置の異なる実施形態を示す斜視図であり、特定部分を省略している。
【国際公開パンフレット】
2005505295.tif 000003
2005505295.tif 000004
2005505295.tif 000005
2005505295.tif 000006
2005505295.tif 000007
2005505295.tif 000008
2005505295.tif 000009
2005505295.tif 000010
2005505295.tif 000011
2005505295.tif 000012
2005505295.tif 000013
2005505295.tif 000014
2005505295.tif 000015
2005505295.tif 000016
2005505295.tif 000017
2005505295.tif 000018
2005505295.tif 000019
2005505295.tif 000020
2005505295.tif 000021
2005505295.tif 000022
2005505295.tif 000023
2005505295.tif 000024
2005505295.tif 000025
2005505295.tif 000026
2005505295.tif 000027
2005505295.tif 000028
2005505295.tif 000029
【手続補正書】
【提出日】平成15年8月5日(2003.8.5)
【手続補正１】
【補正対象書類名】特許請求の範囲
【補正対象項目名】全文
【補正方法】変更
【補正の内容】
【特許請求の範囲】
【請求項１】
横方向面（１７、１８、１９）と端面（１２、１６）とを備えていて包装材（４）を具備しているタバコ製品のための剛体型のパックであって、前記包装材（４）は、開放した頂端部（６）と蓋部（７）とを備えていて前記頂端部が前記蓋部により閉鎖されているコンテナ（５）から構成されているパックにおいて、
前記パック（１）の少なくとも一つの面（１２、１６、１７、１８、１９）が、外方に向かって凸状の少なくとも一つの隆起部分（２２）を含んでおり、前記隆起部分（２２）は前記コンテナ（５）と前記蓋部（７）との両方に対応する前記面（１２、１６、１７、１８、１９）のそれぞれの領域を占めているパック。
【請求項２】
前記隆起部分（２２）が前記各面（１２、１６、１７、１８、１９）の略中心領域を占めていて、該面の縁部に隣接する部分を除外している請求項１に記載のパック。
【請求項３】
前記隆起部分（２２）が前記各面（１２、１６、１７、１８、１９）の略中心領域を占めていて、該面の縁部に到達するように少なくとも部分的に延びている請求項１に記載のパック。
【請求項４】
前記隆起部分（２２）は前記横方向面（１７、１８）に形成されている請求項１から３のいずれか一項に記載のパック。
【請求項５】
前記隆起部分（２２）は前記面（１２、１６、１７、１８、１９）のうちの各一つに形成されている請求項１から３のいずれか一項に記載のパック。
【請求項６】
前記隆起部分（２２）は略平坦中心部分（５６）を備えている請求項１から５のいずれか一項に記載のパック。
【請求項７】
前記隆起部分（２２）が周囲平縁（５７）を含んでおり、該平縁によって前記中心部分（５６）が前記パック（１）の前記対応する面（１２、１６、１７、１８、１９）に接合されている請求項１から５のいずれか一項に記載のパック。
【請求項８】
前記平縁（５７）は湾曲部分によって相互に連結された直線状部分を具備する請求項７に記載のパック。
【請求項９】
前記平縁（５７）は鋭利な角部によって或る平縁が隣の平縁に連結された直線状部分を具備する請求項８に記載のパック。
【請求項１０】
前記包装材（４）は面取りされた長手方向角縁部（２６）を備えている請求項１から９のいずれか一項に記載のパック。
【請求項１１】
前記包装材（４）は丸みが付けられた長手方向角縁部（２６）を備えている請求項１から９のいずれか一項に記載のパック。
【請求項１２】
前記包装材（４）が湾曲部分からなるバンド（２７）を含んでおり、該湾曲部分は長手方向角縁部のそれぞれに沿って延びていると共に内方を向いた凹面を備えるよう配置されており、一つの横方向面（１７、１８、１９）の関連する中心部分（２８）は前記バンドによって鋭利な角縁部（２９）に沿って隣接する横方向面（１７、１８、１９）に接合されている請求項１から９のいずれか一項に記載のパック。
【請求項１３】
前記パックは、前記コンテナ（５）にヒンジ留めされていて前記頂端部（６）の開放位置と閉鎖位置との間で回動可能な蓋部（７）を備えた略平行六面体形状であり、前記包装材（４）が相互に平行な対をなすように配置された四つの横方向面（１７、１８、１９）と相互に平行であって前記横方向面（１７、１８、１９）に対して垂直な二つの前記端面（１２、１６）とを形成する四つの長手方向角縁部（５８）を備えている請求項１から１２のいずれか一項に記載のパック。
【請求項１４】
前記コンテナ（５）に固定されていて前記開放した頂端部（６）から部分的に突出するフレーム（２１）を具備し、それにより、閉鎖位置にあるときに、前記蓋部（７）と相互作用すると共に該蓋部（７）を安定化しており、さらに前記フレーム（２１）は前記パック（１）から外方に突出する凸状の少なくとも一つの隆起部分を備えている請求項１３に記載のパック。
【請求項１５】
前記フレーム（２１）の前記隆起部分が、前記パック（１）の横方向面（１７、１９）に形成された隆起部分（２２）の内面に前方で完全に接触するよう位置決めされている請求項１４に記載のパック。
【請求項１６】
前記タバコ製品は、タバコの複数のパケット（２）から構成されており、前記パック（１）がカートン（３）である請求項１から１５のいずれか一項に記載のパック。
【請求項１７】
前記タバコ製品は一群のタバコから構成されており、前記パック（１）がタバコ用パケット（２）である請求項１から１５のいずれか一項に記載のパック。
【請求項１８】
請求項１から１７に記載の剛体型のパックの製造方法であって、該パック（１）は複数の長手方向折れ目線（３５）と、該長手方向折れ目線（３５）に協働して複数のパネル（４３、４４）を形成する複数の横断方向折れ目線（３６〜４１）を備える平坦なダイカットの素材片（３１）から形成されており、前記パネルは単独でまたは重畳する関係をなして前記パック（１）の前記面（１２、１６、１７、１８、１９）に対応している、パックの製造方法において、
前記素材片（３１）を形成ステーション（３２）に通して所定の搬送ライン（３０）に沿って前進させ、
隆起部分（３２）を形成するように少なくとも一つの前記パネル（４３、４４）を前記形成ステーション（３２）において塑性変形させる製造方法。
【請求項１９】
前記素材片（３１）を前記形成ステーション（３２）に通して前進させることが、連続的動作である請求項１８に記載の製造方法。
【請求項２０】
前記素材片（３１）を前記形成ステーション（３２）に通して前進させることが、該形成ステーション（３２）における休止を含んでいる請求項１８に記載の製造方法。
【請求項２１】
前記塑性変形させることが、前記搬送ライン（３０）に対して垂直な軸線（４６）回りに反対方向に一斉に動作していて前記搬送ライン（３０）の両側部に位置している一対のローラ（４５）の作用により行われ、前記一対のローラは少なくとも一つの第一のローラ（４５）を含んでおり、該第一のローラは前記隆起部分（２２）を生じさせるダイとしての機能を有する少なくとも一つの突出部（４８）を備えている請求項１９に記載の製造方法。
【請求項２２】
前記一対のローラのうちの前記第二のローラ（４５）が弾性材料から形成されている請求項２１に記載の製造方法。
【請求項２３】
前記一対のローラのうちの前記第二のローラ（４５）は、前記第一のローラの前記ダイに適合する底部ダイとしての機能を有する少なくとも一つの凹部（４９）を形成する円筒形状表面（４７）を備えている請求項２１に記載の製造方法。
【請求項２４】
前記塑性変形させることが、前記搬送ライン（３０）に対して往復運動して一緒に動作するパンチ（５１）とカウンタ（５２）とを構成する一対のツール（５０）の作用により行われており、これら一対のツール（５０）は前記搬送ライン（３０）の両側部に位置しており、該一対のツールは前記隆起部分（２２）を生じさせるダイとしての機能を有する突出部（５４）が備え付けられている少なくとも一つの第一のツール（５０）を有している請求項２０に記載の製造方法。
【請求項２５】
前記一対のツール（５０）のうちの第二のツール（５２）が弾性材料から形成されている請求項２２に記載の製造方法。
【請求項２６】
前記一対のツール（５０）の前記第二のツール（５２）は前記対向するツール（５１）に関連する表面を有しており、該表面は前記第一のツールの前記ダイに適合する底部ダイとしての機能を有する少なくとも一つの凹部（５５）が形成されている請求項２４に記載の製造方法。
【請求項２７】
前記素材片（３１）と前記形成ステーション（３２）とを担持する前記搬送ライン（３０）が、前記パック（１）を製造する機械（３４）と一体的部材になっている請求項１９から２６のいずれか一項に記載の製造方法。
【手続補正２】
【補正対象書類名】明細書
【補正対象項目名】００１２
【補正方法】変更
【補正の内容】
【００１２】
前述した目的は、請求項１に記載される本発明によって解決される。
本発明はタバコ製品のための剛体型のパックを製造する製造方法にも関する。




【国際調査報告】
2005505295.tif 000030
2005505295.tif 000031
2005505295.tif 000032